(57)【要約】【課題】  より小さな空間に設置することが可能なＬＥＤ照明器具を提供すること。【解決手段】  ＬＥＤ照明器具１０１は、ＬＥＤチップを有し、ｚ方向に向けて光を出射するＬＥＤ光源部２００と、上記ＬＥＤチップを点灯させるための電力を供給し、ＬＥＤ光源部２００に対してｘ方向において離間して配置された電源部３００と、ＬＥＤ光源部２００に接続された光源側接続部４１０および電源部３００に接続された電源側接続部４２０を有するとともに、電源側接続部４２０を光源側接続部４１０に対してｚ方向において上方側に位置させる屈曲部４３０を有する屈曲状態を取りうる、連結部材４００と、を備える。【選択図】  図１
2014146533.tif 000002
【特許請求の範囲】
【請求項１】
ＬＥＤチップを有し、第１方向に向けて光を出射するＬＥＤ光源部と、
上記ＬＥＤチップを点灯させるための電力を供給し、上記ＬＥＤ光源部に対して上記第１方向とは直角である第２方向において離間して配置された電源部と、
上記ＬＥＤ光源部に接続された光源側接続部および上記電源部に接続された電源側接続部を有するとともに、上記電源側接続部を上記光源側接続部に対して上記第１方向において出射方向反対側に位置させる屈曲部を有する屈曲状態を取りうる、連結部材と、
を備えることを特徴とする、ＬＥＤ照明器具。
【請求項２】
上記連結部材は、常に上記屈曲状態をとる、請求項１に記載のＬＥＤ照明器具。
【請求項３】
上記連結部材は、弾性変形可能な材質からなる、請求項１に記載のＬＥＤ照明器具。
【請求項４】
上記連結部材は、金属板からなる、請求項３に記載のＬＥＤ照明器具。
【請求項５】
上記連結部材は、外力が付与されない場合に上記屈曲部を有さない直線状態をとるとともに、外力が付与されることにより上記屈曲状態をとる、請求項３または４に記載のＬＥＤ照明器具。
【請求項６】
上記ＬＥＤ光源部が天井に設けられた開口に取り付けられ、かつ上記電源部が天井内部に配置された場合に、上記連結部材は、上記屈曲状態よりも上記第１方向における上記電源側接続部と上記光源側接続部との距離が大となる強屈曲状態をとる、請求項５に記載のＬＥＤ照明器具。
【請求項７】
上記ＬＥＤ光源部が天井に設けられた開口に取り付けられ、かつ上記電源部が天井内部に配置された場合に、上記連結部材は、上記屈曲状態よりも上記第１方向における上記電源側接続部と上記光源側接続部との距離が小となる弱屈曲状態をとる、請求項５に記載のＬＥＤ照明器具。
【請求項８】
上記連結部材は、上記ＬＥＤ光源部と上記電源部とを接続する中継ケーブルを保持するためのケーブル保持部を有する、請求項１ないし７のいずれかに記載のＬＥＤ照明器具。
【請求項９】
上記連結部材は、上記第２方向に対して直角である溝部を有する、請求項１ないし８のいずれかに記載のＬＥＤ照明器具。
【請求項１０】
上記電源部は、上記電源側接続部よりも上記第１方向における出射方向側に位置する部分を有する、請求項１ないし９のいずれかに記載のＬＥＤ照明器具。
【請求項１１】
上記電源部は、その全てが上記電源側接続部よりも上記第１方向における出射方向側に位置する、請求項１０に記載のＬＥＤ照明器具。
【請求項１２】
上記電源側接続部は、上記電源部のうち上記第２方向における上記ＬＥＤ光源部寄りの部位に接続されている、請求項１０または１１に記載のＬＥＤ照明器具。
【請求項１３】
上記電源部は、上記第２方向において上記ＬＥＤ光源部とは反対側であって上記第１方向における出射方向とは反対側の部位に、上記第１方向において上記出射方向に向かうほど上記ＬＥＤ光源部から離間するように傾斜した傾斜面が形成されている、請求項１ないし１２のいずれかに記載のＬＥＤ照明器具。
【請求項１４】
上記電源部は、上記第２方向において上記ＬＥＤ光源部とは反対側から電力供給用の電源ケーブルが接続される接続端子を有する、請求項１ないし１３のいずれかに記載のＬＥＤ照明器具。
【請求項１５】
上記ＬＥＤ光源部は、上記第１方向視において上記ＬＥＤチップを囲むともに、上記第１方向において出射方向に向かうほど断面寸法が大となるリフレクタを有する、請求項１ないし１４のいずれかに記載のＬＥＤ照明器具。
【請求項１６】
上記リフレクタは、樹脂からなる、請求項１５に記載のＬＥＤ照明器具。
【請求項１７】
上記ＬＥＤ光源部は、上記リフレクタに対して上記第１方向における出射方向とは反対側に位置し、上記ＬＥＤチップからの熱を放熱する放熱部材を有する、請求項１５または１６に記載のＬＥＤ照明器具。
【請求項１８】
上記放熱部材は、金属からなる、請求項１７に記載のＬＥＤ照明器具。
【請求項１９】
上記ＬＥＤチップは、ＬＥＤ基板を介して上記放熱部材に搭載されている、請求項１７または１８に記載のＬＥＤ照明器具。
【請求項２０】
上記リフレクタは、上記連結部材の上記光源側接続部よりも上記第１方向における出射方向側に位置する部分を有する、請求項１５ないし１９のいずれかに記載のＬＥＤ照明器具。
【請求項２１】
上記放熱部材は、上記連結部材の上記光源側接続部よりも上記第１方向における出射方向とは反対側に位置する部分を有する、請求項１７または１８に記載のＬＥＤ照明器具。
【請求項２２】
上記放熱部材は、上記第１方向における出射方向とは反対側に突出する複数の凸部を有する、請求項２１に記載のＬＥＤ照明器具。
【発明の詳細な説明】
【技術分野】
【０００１】
本発明は、ＬＥＤ照明器具に関する。
【背景技術】
【０００２】
ＬＥＤチップを光源として用いたＬＥＤ照明器具は、様々な形態のものが提案されている。特許文献１には、開口が設けられた天井に取り付けることにより室内の床面や壁面を照らすことが意図された、いわゆるダウンライトとして構成されたＬＥＤ照明器具が開示されている。このＬＥＤ照明器具は、ＬＥＤ光源部と電源部とを有している。上記ＬＥＤ光源部は、複数のＬＥＤチップと、これらのＬＥＤチップを囲むリフレクタを有している。上記電源部は、たとえば商用の交流１００電力が入力され、上記ＬＥＤ光源部を点灯させるのに適した直流電力を出力する。上記ＬＥＤ照明器具が天井に取り付けられた状態において、上記電源部は、上記ＬＥＤ光源部の上方に搭載されている。
【０００３】
天井は、床面に臨む外装板の他に、この外装板を支持するための様々な内部構造材を有していることが一般的である。上記内部構造材は、上記外装板に沿って配置されたもの（下層構造材）や、上記外装板との間に所定の隙間を隔てて上記外装板の上方に配置されたもの（中層構造材）などがある。たとえば、複数の上記ＬＥＤ照明器具を一つの部屋に取り付ける場合、均一な照度を確保するために上記複数のＬＥＤ照明器具を等ピッチで配置することが好ましい。しかし、いずれかの上記ＬＥＤ照明器具の取り付け位置が、上記中層構造材と一致することが起こりうる。この中層構造材は、上記下層構造材や上記外装板を支持しているため、部分的に切断することは困難である。このため、上記ＬＥＤ照明器具の取り付け位置をずらすことなどが強いられてしまう。
【先行技術文献】
【特許文献】
【０００４】
【特許文献１】特開２００９−１７０１２６号公報
【発明の概要】
【発明が解決しようとする課題】
【０００５】
本発明は、上記した事情のもとで考え出されたものであって、より小さな空間に設置することが可能なＬＥＤ照明器具を提供することをその課題とする。
【課題を解決するための手段】
【０００６】
本発明によって提供されるＬＥＤ照明器具は、ＬＥＤチップを有し、第１方向に向けて光を出射するＬＥＤ光源部と、上記ＬＥＤチップを点灯させるための電力を供給し、上記ＬＥＤ光源部に対して上記第１方向とは直角である第２方向において離間して配置された電源部と、上記ＬＥＤ光源部に接続された光源側接続部および上記電源部に接続された電源側接続部を有するとともに、上記電源側接続部を上記光源側接続部に対して上記第１方向において出射方向反対側に位置させる屈曲部を有する屈曲状態を取りうる、連結部材と、を備えることを特徴としている。
【０００７】
本発明の好ましい実施の形態においては、上記連結部材は、常に上記屈曲状態をとる。
【０００８】
本発明の好ましい実施の形態においては、上記連結部材は、弾性変形可能な材質からなる。
【０００９】
本発明の好ましい実施の形態においては、上記連結部材は、金属板からなる。
【００１０】
本発明の好ましい実施の形態においては、上記連結部材は、外力が付与されない場合に上記屈曲部を有さない直線状態をとるとともに、外力が付与されることにより上記屈曲状態をとる。
【００１１】
本発明の好ましい実施の形態においては、上記ＬＥＤ光源部が天井に設けられた開口に取り付けられ、かつ上記電源部が天井内部に配置された場合に、上記連結部材は、上記屈曲状態よりも上記第１方向における上記電源側接続部と上記光源側接続部との距離が大となる強屈曲状態をとる。
【００１２】
本発明の好ましい実施の形態においては、上記ＬＥＤ光源部が天井に設けられた開口に取り付けられ、かつ上記電源部が天井内部に配置された場合に、上記連結部材は、上記屈曲状態よりも上記第１方向における上記電源側接続部と上記光源側接続部との距離が小となる弱屈曲状態をとる。
【００１３】
本発明の好ましい実施の形態においては、上記連結部材は、上記ＬＥＤ光源部と上記電源部とを接続する中継ケーブルを保持するためのケーブル保持部を有する。
【００１４】
本発明の好ましい実施の形態においては、上記連結部材は、上記第２方向に対して直角である溝部を有する。
【００１５】
本発明の好ましい実施の形態においては、上記電源部は、上記電源側接続部よりも上記第１方向における出射方向側に位置する部分を有する。
【００１６】
本発明の好ましい実施の形態においては、上記電源部は、その全てが上記電源側接続部よりも上記第１方向における出射方向側に位置する。
【００１７】
本発明の好ましい実施の形態においては、上記電源側接続部は、上記電源部のうち上記第２方向における上記ＬＥＤ光源部寄りの部位に接続されている。
【００１８】
本発明の好ましい実施の形態においては、上記電源部は、上記第２方向において上記ＬＥＤ光源部とは反対側であって上記第１方向における出射方向とは反対側の部位に、上記第１方向において上記出射方向に向かうほど上記ＬＥＤ光源部から離間するように傾斜した傾斜面が形成されている。
【００１９】
本発明の好ましい実施の形態においては、上記電源部は、上記第２方向において上記ＬＥＤ光源部とは反対側から電力供給用の電源ケーブルが接続される接続端子を有する。
【００２０】
本発明の好ましい実施の形態においては、上記ＬＥＤ光源部は、上記第１方向視において上記ＬＥＤチップを囲むともに、上記第１方向において出射方向に向かうほど断面寸法が大となるリフレクタを有する。
【００２１】
本発明の好ましい実施の形態においては、上記リフレクタは、樹脂からなる。
【００２２】
本発明の好ましい実施の形態においては、上記ＬＥＤ光源部は、上記リフレクタに対して上記第１方向における出射方向とは反対側に位置し、上記ＬＥＤチップからの熱を放熱する放熱部材を有する。
【００２３】
本発明の好ましい実施の形態においては、上記放熱部材は、金属からなる。
【００２４】
本発明の好ましい実施の形態においては、上記ＬＥＤチップは、ＬＥＤ基板を介して上記放熱部材に搭載されている。
【００２５】
本発明の好ましい実施の形態においては、上記リフレクタは、上記連結部材の上記光源側接続部よりも上記第１方向における出射方向側に位置する部分を有する。
【００２６】
本発明の好ましい実施の形態においては、上記放熱部材は、上記連結部材の上記光源側接続部よりも上記第１方向における出射方向とは反対側に位置する部分を有する。
【００２７】
本発明の好ましい実施の形態においては、上記放熱部材は、上記第１方向における出射方向とは反対側に突出する複数の凸部を有する。
【００２８】
このような構成によれば、上記ＬＥＤ照明器具を天井に取り付ける際に、上記電源部に対して上記ＬＥＤ光源部を上記第１方向における出射方向側に位置させることができる。これにより、上記電源部を天井の上方空間に挿入し、上記ＬＥＤ光源部のほとんどが天井の下方に位置する状態において、天井に対して上記ＬＥＤ照明器具をそれほど大きく傾ける必要がない。このため、上記電源部がたとえば中層構造材に干渉することを回避することが可能であり、上記ＬＥＤ照明器具をより小さな空間に設置することができる。
【００２９】
本発明のその他の特徴および利点は、添付図面を参照して以下に行う詳細な説明によって、より明らかとなろう。
【図面の簡単な説明】
【００３０】
【図１】本発明の第１実施形態に伴うＬＥＤ照明器具を示す斜視図である。
【図２】図１のＬＥＤ照明器具を示す平面図である。
【図３】図２のＩＩＩ−ＩＩＩ線に沿う断面図である。
【図４】図２のＩＶ−ＩＶ線に沿う断面図である。
【図５】図１のＬＥＤ照明器具のＬＥＤ発光部の一例を示す平面図である。
【図６】図５のＶＩ−ＶＩ線に沿う要部拡大断面図である。
【図７】図１のＬＥＤ照明器具のＬＥＤ発光部の他の例を示す平面図である。
【図８】図７のＶＩＩＩ−ＶＩＩＩ線に沿う要部断面図である。
【図９】図１のＬＥＤ照明器具の連結部材の一例を示す平面図である。
【図１０】図９のＸ−Ｘ線に沿う断面図である。
【図１１】図１のＬＥＤ照明器具の連結部材の他の例を示す平面図である。
【図１２】図１１のＸＩＩ−ＸＩＩ線に沿う要部断面図である。
【図１３】図１のＬＥＤ照明器具を天井に取り付ける工程を示す断面図である。
【図１４】図１のＬＥＤ照明器具を天井に取り付ける工程を示す断面図である。
【図１５】図１のＬＥＤ照明器具を天井に取り付ける工程を示す断面図である。
【図１６】本発明の第２実施形態に伴うＬＥＤ照明器具を示す断面図である。
【図１７】図１６のＬＥＤ照明器具を天井に取り付けた状態を示す断面図である。
【図１８】本発明の第３実施形態に伴うＬＥＤ照明器具を示す断面図である。
【図１９】図１８のＬＥＤ照明器具を天井に取り付けた状態を示す断面図である。
【図２０】本発明の第４実施形態に伴うＬＥＤ照明器具を示す断面図である。
【図２１】本発明の第５実施形態に伴うＬＥＤ照明器具を示す斜視図である。
【発明を実施するための形態】
【００３１】
以下、本発明の好ましい実施の形態につき、図面を参照して具体的に説明する。
【００３２】
図１〜図４は、本発明の第１実施形態に基づくＬＥＤ照明器具を示している。本実施形態のＬＥＤ照明器具１０１は、ＬＥＤ光源部２００、電源部３００および連結部材４００を備えている。図中のｚ方向は、本発明で言う第１方向であり、矢印が指す方向が出射方向である。ｘ方向は、本発明で言う第２方向である。図１は、ＬＥＤ照明器具１０１の斜視図であり、図２は、ＬＥＤ照明器具１０１の平面図である。図３は、図２のＩＩＩ−ＩＩＩに沿うｚｘ平面における断面図であり、図４は、図２のＩＶ−ＩＶ線に沿うｙｚ平面に沿う断面図である。
【００３３】
ＬＥＤ光源部２００は、枠体２１０、放熱部材２２０およびＬＥＤ発光部２３０を備えている。なお、本実施形態の構成は、本発明で言うＬＥＤ光源部の一例である。たとえば、枠体２１０および放熱部材２２０が一体的に形成された構成であってもよい。また、枠体２１０および放熱部材２２０のそれぞれが、複数の部品によって形成された構成であってもよい。
【００３４】
枠体２１０は、たとえば樹脂からなり、ＬＥＤ照明器具１０１が天井８１０に取り付けられた状態において、床面側からの外観のほとんどを構成する部品である。枠体２１０は、リフレクタ２１１、鍔部２１２および係合部２１３を有している。また、図４に示すように、枠体２１０には、２つの保持ブラケット２４３がｙ方向両端に取り付けられている。保持ブラケット２４３は、たとえばバネ鋼などの金属板に折り曲げ加工が施された部品であり、天井８１０に押圧されることにより、ＬＥＤ照明器具１０１を天井８１０に保持させる機能を果たす。
【００３５】
リフレクタ２１１は、ｚ方向において出射方向に向かうほど断面寸法（本実施形態においては直径）が大となる形状であり、ｚ方向視においてＬＥＤ発光部２３０を囲んでいる。リフレクタ２１１の寸法の一例を挙げると、外径が９３ｍｍ程度、内径が６０ｍｍ程度、ｚ方向高さが１７ｍｍ程度である。
【００３６】
鍔部２１２は、リフレクタ２１１のｚ方向下端縁からｘｙ方向に延びたリング状部分である。鍔部２１２は、ＬＥＤ照明器具１０１を天井８１０に取り付ける際に、天井８１０のｚ方向下面に接触することにより、ＬＥＤ照明器具１０１のｚ方向位置を固定する機能を果たす。鍔部２１２の寸法の一例を挙げると、外径が１１０ｍｍ程度である。
【００３７】
係合部２１３は、枠体２１０に対する放熱部材２２０の位置を規定する部位であり、放熱部材２２０と係合する。本実施形態においては、係合部２１３は、ごく浅い円形の凹部である。
【００３８】
放熱部材２２０は、ＬＥＤ発光部２３０からの熱を外部に放熱する部品であり、本実施形態においては、設置面２２１、コーン状部２２２および複数の凸部２２３を有している。放熱部材２２０は、たとえばアルミなどの金属からなる。放熱部材２２０は、枠体２１０の係合部２１３に係合することにより、枠体２１０に対する位置が規定されている。また、本実施形態においては、放熱部材２２０の枠体２１０への固定を確実化するためにボルトが用いられている。
【００３９】
設置面２２１は、ｚ方向出射方向を向く円形平面であり、ＬＥＤ発光部２３０が設置される面である。設置面２２１の寸法の一例を挙げると、直径が４０ｍｍ程度である。
【００４０】
コーン状部２２２は、ｚ方向視において設置面２２１を囲んでおり、ｚ方向出射方向に向かうほど断面寸法（本実施形態においては、直径）が大となる形状とされている。コーン状部２２２の寸法の一例を挙げると、外径が５６ｍｍ程度、内径が４０ｍｍ程度、ｚ方向高さが８ｍｍ程度である。
【００４１】
複数の凸部２２３は、設置面２２１の裏側であるｚ方向上方側（出射方向とは反対側）からｚ方向上方に向かって突出している。本実施形態においては、複数の凸部２２３は、互いに平行に配置された複数のフィンとして構成されている。本発明で言う凸部としては、フィンに限定されず、たとえば角柱形状や円柱形状であってもよい。凸部２２３の寸法の一例を挙げると、ｚ方向高さが５ｍｍ程度、ｙ方向における幅が４ｍｍ程度である。
【００４２】
本実施形態においては、枠体２１０と放熱部材２２０との間に透光カバー２４１が設けられている。透光カバー２４１は、たとえばガラスまたはアクリル樹脂などの透明な材質からなる円形板である。透光カバー２４１は、ＬＥＤ発光部２３０からの光を透過させるとともに、ＬＥＤ発光部２３０を保護する機能を果たす。また、本実施形態においては、透光カバー２４１と枠体２１０との間にスペーサ２４２が設けられている。スペーサ２４２は、リング状であり、透光カバー２４１を枠体２１０と放熱部材２２０とによってより確実に挟持することを可能とするためのものである。
【００４３】
ＬＥＤ発光部２３０は、たとえば直流電力が供給されることにより発光する部品であり、本実施形態においては、放熱部材２２０の設置面２２１に設置されている。
【００４４】
図５および図６は、ＬＥＤ発光部２３０の一例を示している。図５は、ＬＥＤ発光部２３０を示す平面図であり、図６は、図５のＶＩ−ＶＩ線に沿うｙｚ平面における要部拡大断面図である。本例のＬＥＤ発光部２３０は、ＬＥＤ基板２３１および複数のＬＥＤモジュール２３２からなる。ＬＥＤ基板２３１は、たとえばセラミックスまたはガラスエポキシ樹脂からなる基材と、この基材上に形成された配線パターンを有する。
【００４５】
複数のＬＥＤモジュール２３２は、ＬＥＤ基板２３１の上記配線パターンにたとえばはんだを介して実装されている。各ＬＥＤモジュール２３２は、ＬＥＤチップ２３３、リード２３４、ケース２３５および封止樹脂２３６を有する。ＬＥＤチップ２３３は、たとえばＧａＮ系半導体からなり、たとえば青色光を発する。リード２３４は、たとえばＣｕなどの金属からなり、その一部にＬＥＤチップ２３３が実装されている。また、ＬＥＤチップ２３３は、ワイヤを介してリード２３４に導通している。ケース２３５は、たとえば白色樹脂からなり、リード２３４の一部を覆い、ＬＥＤチップ２３３を囲んでいる。封止樹脂２３６は、ＬＥＤチップ２３３を覆っており、たとえばエポキシ樹脂またはシリコーン樹脂などの透明な樹脂に蛍光材料が混入された材料からなる。この蛍光材料は、たとえばＬＥＤチップ２３３からの青色光によって励起されることにより黄色光を発する。これにより、ＬＥＤモジュール２３２は、白色光を発する。
【００４６】
図７および図８は、ＬＥＤ発光部２３０の他の例を示している。図７は、ＬＥＤ発光部２３０を示す平面図であり、図８は、図７のＶＩＩＩ−ＶＩＩＩ線に沿うｚｘ平面における要部拡大断面図である。本例のＬＥＤ発光部２３０は、ＬＥＤ基板２３１、複数のＬＥＤチップ２３３、封止樹脂２３６および堰部２３７を有する。ＬＥＤ基板２３１は、図５よび図６を参照して説明した構成と同様である。本例においては、複数のＬＥＤチップ２３３がＬＥＤ基板２３１に直接実装されており、たとえばマトリクス状に配置されている。堰部２３７は、たとえば白色のシリコーン樹脂からなり、ｚ方向視において複数のＬＥＤチップ２３３を囲む矩形枠状とされている。封止樹脂２３６は、堰部２３７によって囲まれた領域を埋めており、複数のＬＥＤチップ２３３を覆っている。封止樹脂２３６は、図５よび図６を参照して説明した構成と同様である。このような構成のＬＥＤ発光部２３０は、白色光を発する。
【００４７】
電源部３００は、たとえば商用の交流１００Ｖ電力が入力され、ＬＥＤ光源部２００を点灯させるのに適した直流電力を出力する。図１〜図３に示すように、電源部３００は、ケース３１０、電源基板３２０、複数の電源部品３３０および接続端子３４０を有している。電源部３００は、ＬＥＤ光源部２００に対してｘ方向に離間して配置されている。電源部３００の寸法の一例を挙げると、ｘ方向寸法が５５ｍｍ程度、ｙ方向寸法が７０ｍｍ程度、ｚ方向寸法が３０ｍｍ程度である。
【００４８】
ケース３１０は、電源基板３２０、複数の電源部品３３０および接続端子３４０を収容しており、本実施形態においては、全体として略直方体形状とされている。ケース３１０は、たとえば金属板を折り曲げ加工することによって形成されている。ケース３１０には、傾斜面３１１が形成されている。傾斜面３１１は、ケース３１０のうちｘ方向においてＬＥＤ光源部２００とは反対側部分であって、ｚ方向上方側部分（出射方向とは反対側部分）に設けられている。図３に示すように、傾斜面３１１は、ｚ方向において出射方向側に向かうほどｘ方向においてＬＥＤ光源部２００から離間するように傾斜しており、図３において図中右斜め上を向く面となっている。
【００４９】
電源基板３２０は、ケース３１０の底部付近に設置されており、複数の電源部品３３０が搭載されている。本実施形態においては、ケース３１０の底部と電源基板３２０との間に複数のスペーサ３２１が設けられている。スペーサ３２１は、電源基板３２０とケース３１０との距離を確保するためのものである。このような構成の結果、電源基板３２０は、天井８１０が所定距離以上離間した位置に設けられることとなる。
【００５０】
複数の電源部品３３０は、たとえば商用の交流１００Ｖ電力を、ＬＥＤ光源部２００を点灯させるのに適した直流電力に変換する、ＡＣ／ＤＣ変換機能を果たすものであり、たとえば、コイル、コンデンサ、抵抗器などである。また、電源部３００がＬＥＤ光源部２００の複数のＬＥＤチップ２３３をＰＷＭ制御などの制御手法によって調光する場合、複数の電源部品３３０は、ドライバＩＣなどを含む。本実施形態においては、図３に示すように、傾斜面３１１と離間したｘ方向左方領域に、たとえばコイルやコンデンサなどのｚ方向高さが比較的高い電源部品３３０が配置されている。
【００５１】
接続端子３４０は、ＬＥＤ照明器具１０１外においてたとえば天井８１０の上方空間に配置された電源ケーブル８３０が接続される部品である。接続端子３４０は、ケース３１０の図中右端空間に収容されており、図中右方から電源ケーブル８３０のたとえば図示しないコネクタを差しこみ接続可能とされている。
【００５２】
ＬＥＤ光源部２００と電源部３００とは、中継ケーブル５１０によって接続されている。中継ケーブル５１０は、電源部３００からの直流電力をＬＥＤ光源部２００のＬＥＤ発光部２３０へと送電する。
【００５３】
連結部材４００は、ＬＥＤ光源部２００と電源部３００とを連結している。本実施形態においては、連結部材４００は、弾性材料の一例である金属板からなり、特にバネ鋼またはステンレス鋼が採用されている。連結部材４００は、光源側接続部４１０、電源側接続部４２０および屈曲部４３０を有している。
【００５４】
光源側接続部４１０は、連結部材４００のうちＬＥＤ光源部２００に接続された図中ｘ方向左端付近部分である。本実施形態においては、光源側接続部４１０は、ＬＥＤ光源部２００の枠体２１０に対してボルトによって接続されている。また、光源側接続部４１０は、枠体２１０のｚ方向上端にあたる部位に接続されており、枠体２１０に対してｚ方向上方にある。また、光源側接続部４１０は、放熱部材２２０のほとんどの部位よりもｚ方向下方にある。特に、複数の凸部２２３、設置面２２１およびＬＥＤ発光部２３０は、光源側接続部４１０に対してｚ方向上方に位置している。
【００５５】
電源側接続部４２０は、連結部材４００のうち電源部３００に接続された図中ｘ方向右端付近部分である。本実施形態においては、電源側接続部４２０は、ケース３１０に対してボルトによって接続されている。特に、本実施形態においては、電源側接続部４２０は、ケース３１０のｚ方向上端面に接続されており、電源部３００のほとんどが電源側接続部４２０に対してｚ方向下方にある。
【００５６】
屈曲部４３０は、連結部材４００の長手方向において離間した２箇所に対して折り曲げ加工が施されることによって形成されている。屈曲部４３０が設けられることにより、光源側接続部４１０と電源側接続部４２０とは、ｚ方向において距離Ｈだけ異なる位置にあり、光源側接続部４１０の方が電源側接続部４２０よりもｚ方向下方（ｚ方向における出射方向側）に位置している。この状態を、本発明で言う屈曲状態という。本実施形態の連結部材４００は、外力が付与されない状態において屈曲部４３０を有するように折り曲げ加工が施されており、常に上記屈曲状態にある。
【００５７】
図９および図１０は、連結部材４００の一例を示している。図９は、連結部材４００を示す平面図であり、図１０は、図９のＸ−Ｘ線に沿うｙｚ平面における断面図である。連結部材４００には、複数のケーブル保持部４４０が形成されている。ケーブル保持部４４０は、連結部材４００の一部にコの字状の切り込みが形成され、この切り込みに囲まれた部位がＬ字状に起立されたものである。このケーブル保持部４４０は、中継ケーブル５１０の一部を挟むようにして保持している。また、ケーブル保持部４４０が設けられることにより、連結部材４００には、複数の開口４４１が形成されている。連結部材４００のうち開口４４１が形成された部分は、この部分以外の部分よりも応力集中が生じやすく比較的容易に折り曲げ可能である。このため、屈曲部４３０を形成するための折り曲げ加工を施す部分近傍に開口４４１が位置する構成が好ましい。
【００５８】
図１１および図１２は、連結部材４００の他の例を示している。図１１は、連結部材４００を示す平面図であり、図１２は、図１のＸＩＩ−ＸＩＩ線に沿うｚｘ平面における要部拡大断面図である。本例においては、連結部材４００に２つの溝部４５０が形成されている。２つの溝部４５０は、ｘ方向に離間して配置されている。各溝部４５０は、連結部材４００をｙ方向に横断している。溝部４５０の断面形状は、たとえば三角形状とされるが、これに限定されるものではない。２つの溝部４５０が設けられることにより、連結部材４００は、折り曲げ加工を施すことがより容易となっており、屈曲部４３０を適切に形成することができる。
【００５９】
連結部材４００の寸法の一例を挙げると、ｘ方向寸法が８０ｍｍ程度、ｙ方向寸法が１５ｍｍ程度、厚さが０．５ｍｍ程度、距離Ｈが１５ｍｍ程度である。
【００６０】
次に、ＬＥＤ照明器具１０１を天井８１０に取り付ける工程を、図１３〜図１５を参照しつつ以下に説明する。
【００６１】
まず、図１３に示すように、ＬＥＤ照明器具１０１を天井８１０の直下付近に配置する。そして、天井８１０に設けられた開口８１１から電源ケーブル８３０の先端を引き出す。開口８１１は、円形状であり、その直径がたとえば１００ｍｍ程度である。そして、電源ケーブル８３０のコネクタ（図示略）を電源部３００の接続端子３４０に接続する。なお、複数のＬＥＤ照明器具１０１を天井８１０に取り付ける場合、電源ケーブル８３０は、複数のＬＥＤ照明器具１０１を並列に接続可能な配線形態とされており、その径が比較的太くコシが強い。また、天井８１０の符号が付された部分は、いわゆる外装板や場合によっては、下層構造材に相当する。また、天井８１０の上方には、所定距離を隔てて中層構造材８２０が配置されている。中層構造材８２０は、図示しないロッドなどを介して天井８１０を保持している。
【００６２】
次いで、図１４に示すように天井８１０の開口８１１に、電源部３００の図中右端部分から挿入する。この際、開口８１１からいったん引き出された電源ケーブル８３０を、電源部３００によって天井８１０の上方空間に押しこむ。また、この作業においては、電源部３００が右斜め上方に位置し、ＬＥＤ光源部２００が左斜め下方に位置するように、ＬＥＤ照明器具１０１を傾ける。なお、図１３から図１５においては、ｘ方向およびｚ方向を示す矢印記号を、ＬＥＤ照明器具１０１の傾きに合わせて便宜上記載している。
【００６３】
次いで、ＬＥＤ照明器具１０１をさらに天井８１０の上方空間に挿入する。すると、図１５に示すように、電源部３００のケース３１０の傾斜面３１１が中層構造材８２０に近接する状態となる。この際、ＬＥＤ光源部２００は、いまだ天井８１０の開口８１１にはほとんど進入しておらず、屈曲部４３０が設けられることにより屈曲状態である連結部材４００がＬＥＤ光源部２００と電源部３００とを適切に連結した格好となっている。そして、ＬＥＤ光源部２００の左端を持ち上げるようにして、図中矢印の向きにＬＥＤ照明器具１０１を回転させる。これにより、ＬＥＤ光源部２００のほとんどが開口８１１に進入し、図３および図４に示す状態となる。ＬＥＤ光源部２００の鍔部２１２は、その外径が開口８１１の直径よりも大である。このため、鍔部２１２が天井８１０に接することにより、ＬＥＤ光源部２００の天井に対する位置が規定される。また、２つの保持ブラケット２４３が枠体２１０と天井８１０によって挟まれることとなる。これにより、保持ブラケット２４３が圧縮され、これによって生じる弾性力が、ＬＥＤ光源部２００を天井８１０に保持させる保持力となる。以上の工程により、ＬＥＤ照明器具１０１の天井８１０への取り付けが完了する。
【００６４】
次に、ＬＥＤ照明器具１０１の作用について説明する。
【００６５】
本実施形態によれば、図１５に示すように、ＬＥＤ照明器具１０１を天井８１０に取り付ける際に、電源部３００に対してＬＥＤ光源部２００をｚ方向出射方向側に位置させることができる。これにより、電源部３００を天井８１０の上方空間に挿入し、ＬＥＤ光源部２００のほとんどが天井８１０の下方に位置する状態において、天井８１０に対してＬＥＤ照明器具１０１をそれほど大きく傾ける必要がない。このため、電源部３００が中層構造材８２０に干渉することを回避することが可能であり、ＬＥＤ照明器具１０１をより小さな空間に設置することができる。
【００６６】
連結部材４００を金属板によって形成することにより、屈曲部４３０の形状をより正確に仕上げることができる。また、比較的コシが強い電源ケーブル８３０を天井８１０の上方空間に押しこむ際に、連結部材４００が不当に座屈してしまうことを防止することができる。
【００６７】
連結部材４００にケーブル保持部４４０を設けることにより、中継ケーブル５１０を適切に保持可能である。また、ケーブル保持部４４０を設けることによって形成される開口４４１は、連結部材４００に屈曲部４３０を形成するのに有利である。
【００６８】
電源部３００を連結部材４００の電源側接続部４２０よりもｚ方向下方に配置することにより、天井８１０に対してＬＥＤ照明器具１０１を傾ける角度を小さくすることが可能であり、干渉を回避するのに適している。
【００６９】
電源部３００に傾斜面３１１を設けることは、電源部３００と中層構造材８２０との干渉を回避するのに好適である。
【００７０】
連結部材４００の光源側接続部４１０よりも放熱部材２２０の複数の凸部２２３をｚ方向上方に配置することにより、ＬＥＤ光源部２００に対して電源部３００が不当にｚ方向上方に位置してしまうことを抑制することができる。また、複数の凸部２２３は、ＬＥＤ発光部２３０からの放熱促進に寄与する。
【００７１】
連結部材４００の光源側接続部４１０よりも枠体２１０をｚ方向下方に位置させることにより、ＬＥＤ照明器具１０１を天井８１０に取り付けた状態において、枠体２１０の下端を天井８１０のｚ方向下方に適切に露出させることができる。
【００７２】
図１６〜図２１は、本発明の他の実施形態を示している。なお、これらの図において、上記実施形態と同一または類似の要素には、上記実施形態と同一の符号を付している。
【００７３】
図１６および図１７は、本発明の第２実施形態に基づくＬＥＤ照明器具を示している。本実施形態のＬＥＤ照明器具１０２は、連結部材４００の構成が上述したＬＥＤ照明器具１０１と異なっている。図１６は、ＬＥＤ照明器具１０２がいまだ天井８１０に取り付けられておらず、外力が付与されていない状態を示している。この場合、連結部材４００は、ｘ方向に直線状に延びており、屈曲部４３０を有していない。この状態を、本発明における直線状態と呼ぶ。また、連結部材４００には、上述した複数の開口４４１や溝部４５０が適宜設けられている。あるいは、連結部材４００の所定位置に、複数回の折り曲げ加工があらかじめなされることにより、いわゆる折りくせが付されている。これらの構成により、連結部材４００は、外力が付与されると上述した屈曲部４３０が現出し、屈曲状態をとる。
【００７４】
ＬＥＤ照明器具１０２を天井８１０に取り付ける際には、図１３〜図１５に示した工程を経る。これらの工程においては、ＬＥＤ照明器具１０２に外力が付与されることにより、連結部材４００が屈曲状態をとっている。このため、ＬＥＤ照明器具１０２の天井８１０への取り付けは、ＬＥＤ照明器具１０１における場合と同様に、中層構造材８２０との干渉が回避される。
【００７５】
図１７は、ＬＥＤ照明器具１０２の天井８１０への取り付けが完了した状態を示している。本実施形態においては、天井８１０のｚ方向厚さが図３に示す場合よりも厚いものとなっている。このため、ＬＥＤ光源部２００に対して電源部３００がよりｚ方向上方へと押し上げられた格好となっている。すなわち、距離Ｈが図３や図１３〜図１５における距離Ｈよりも大となっている。この状態を、本発明における強屈曲状態と呼ぶ。
【００７６】
図１８および図１９は、本発明の第３実施形態に基づくＬＥＤ照明器具を示している。本実施形態のＬＥＤ照明器具１０３は、連結部材４００の構成が上述したＬＥＤ照明器具１０１と異なっている。図１８は、ＬＥＤ照明器具１０３がいまだ天井８１０に取り付けられておらず、外力が付与されていない状態を示している。この場合、連結部材４００は、ＬＥＤ照明器具１０２における場合と同様に、ｘ方向に直線状に延びており、屈曲部４３０を有しておらず、直線状態をとっている。また、連結部材４００には、上述した複数の開口４４１や溝部４５０が適宜設けられている。あるいは、連結部材４００の所定位置に、複数回の折り曲げ加工があらかじめなされることにより、いわゆる折りくせが付されている。これらの構成により、連結部材４００は、外力が付与されると上述した屈曲部４３０が現出し、屈曲状態をとる。また、ＬＥＤ照明器具１０３においては、電源部３００のｚ方向高さが、ＬＥＤ照明器具１０１，１０２の電源部３００よりも小さい。
【００７７】
図１９は、ＬＥＤ照明器具１０３の天井８１０への取り付けが完了した状態を示している。本実施形態においては、電源部３００のｚ方向高さが比較的低いことにより、図３および図１７に示す構成と比べてＬＥＤ光源部２００に対して電源部３００がよりｚ方向下方に位置している。すなわち、距離Ｈが図３や図１３〜図１５における距離Ｈよりも小となっている。この状態を、本発明における弱屈曲状態と呼ぶ。
【００７８】
これらの実施形態によっても、ＬＥＤ照明器具１０２，１０３をより小さな空間に設置することができる。連結部材４００がバネ鋼やステンレスなどの金属板に代表される弾性変形可能な材質からなることにより、ＬＥＤ照明器具１０２，１０３を天井８１０に取り付ける際には、連結部材４００に屈曲状態を容易かつ確実に取らせることができる。
【００７９】
また、ＬＥＤ照明器具１０２，１０３を天井８１０に取り付けた際には、天井８１０の厚さや電源部３００のｚ方向高さなどに応じて、連結部材４００に上述した強屈曲状態もしくは弱屈曲状態を取らせることができる。これにより、電源部３００をより安定して設置することができる。なお、ＬＥＤ照明器具１０２，１０３の構成の他に、外力が付与されない状態において直線状態をとるとともに、天井８１０への取付工程や取り付け完了後において、本発明で言う屈曲状態をとる構成であってもよい。
【００８０】
図２０は、本発明の第４実施形態に基づくＬＥＤ照明器具を示している。本実施形態のＬＥＤ照明器具１０４においては、電源部３００のケース３１０から接続端子３４０が突出している。これらの実施形態によっても、屈曲部４３０を有さない構成と比較して、ＬＥＤ照明器具１０４をより小さな空間に設置することができる。
【００８１】
図２１は、本発明の第５実施形態に基づくＬＥＤ照明器具を示している。本実施形態のＬＥＤ照明器具１０５においては、ＬＥＤ光源部２００の放熱部材２２０に凸部２２３が設けられていない。これらの実施形態によっても、ＬＥＤ照明器具１０５をより小さな空間に設置することができる。
【００８２】
本発明に係るＬＥＤ照明器具は、上述した実施形態に限定されるものではない。本発明に係るＬＥＤ照明器具の各部の具体的な構成は、種々に設計変更自在である。
【符号の説明】
【００８３】
１０１〜１０５  ＬＥＤ照明器具
２１０  枠体
２１１  リフレクタ
２１２  鍔部
２１３  係合部
２２０  放熱部材
２２１  設置面
２２２  コーン状部
２２３  凸部
２３０  ＬＥＤ発光部
２３１  ＬＥＤ基板
２３２  ＬＥＤモジュール
２３３  ＬＥＤチップ
２３４  リード
２３５  ケース
２３６  封止樹脂
２３７  堰部
２４１  透光カバー
２４２  スペーサ
２４３  保持ブラケット
３００  電源部
３１０  ケース
３１１  傾斜面
３２０  電源基板
３２１  スペーサ
３３０  電源部品
３４０  接続端子
４００  連結部材
４１０  光源側接続部
４２０  電源側接続部
４３０  屈曲部
４４０  ケーブル保持部
４４１  開口
４５０  溝部
５１０  中継ケーブル
８１０  天井
８１１  開口
８２０  中層構造材
８３０  電源ケーブル
【図１】
2014146533.tif 000003
【図２】
2014146533.tif 000004
【図３】
2014146533.tif 000005
【図４】
2014146533.tif 000006
【図５】
2014146533.tif 000007
【図６】
2014146533.tif 000008
【図７】
2014146533.tif 000009
【図８】
2014146533.tif 000010
【図９】
2014146533.tif 000011
【図１０】
2014146533.tif 000012
【図１１】
2014146533.tif 000013
【図１２】
2014146533.tif 000014
【図１３】
2014146533.tif 000015
【図１４】
2014146533.tif 000016
【図１５】
2014146533.tif 000017
【図１６】
2014146533.tif 000018
【図１７】
2014146533.tif 000019
【図１８】
2014146533.tif 000020
【図１９】
2014146533.tif 000021
【図２０】
2014146533.tif 000022
【図２１】
2014146533.tif 000023